Podtech/llm-jp-corpus-v4-ja_patent huggingface dataset:
(57)【要約】【課題】  配管内のヌメリや菌の繁殖を抑えて、きれいな水で洗濯することのできる浴槽水再利用装置を提供する。【解決手段】  ポンプを備えた洗濯機と浴槽２を配管でつなぎ、浴槽２内の残り湯を洗濯機へ送水するようにした浴槽水再利用装置において、配管の浴槽２側の取水口部材２ａの、取水口カバー１０とフランジ１１に、それぞれ磁石１５ａ，１５ｂを埋め込んで構成する。【選択図】  図２
2005194842.tif 000002
【特許請求の範囲】
【請求項１】
ポンプを備えた洗濯機と浴槽を配管でつなぎ、浴槽の残り湯を前記洗濯機へ送水するようにした浴槽水再利用装置において、前記配管の浴槽側取水口部材に磁石を埋め込んで構成したことを特徴とする浴槽水再利用装置。
【請求項２】
前記取水口部材を構成する取水口カバーとフランジに、それぞれ磁石を設けたことを特徴とする請求項１に記載の浴槽水再利用装置。
【発明の詳細な説明】
【技術分野】
【０００１】
本発明は、浴槽の残り湯を洗濯機で再利用する浴槽水再利用装置に関するものである。
【背景技術】
【０００２】
従来、特許文献１に開示されているように、浴槽の残り湯を洗濯機へ送水して、洗濯機で再利用する浴水再利用装置が存在する。
また、特許文献２に開示されているように、浴槽水を加熱循環させる風呂設備で、循環経路の浴槽吸込口近くの建物壁に磁気殺菌装置を設けたものが存在する。
【特許文献１】特開２００３−２６８８１８号公報
【特許文献２】特開平１０−１９２８６２号公報
【発明の開示】
【発明が解決しようとする課題】
【０００３】
従来のような浴水再利用装置においては、浴槽から洗濯機までの配管内にヌメリや菌が発生してしまうという問題点がある。
また、特許文献２に開示されているような構成は、浴槽水を加熱循環させる風呂設備に関するものであり、また磁気殺菌装置は建物壁内に設けられており、浴槽水再利用装置とは思想が異なるため、利用することができないものであった。
【課題を解決するための手段】
【０００４】
本発明は上記従来の問題点に鑑み案出したものであって、浴槽から洗濯機に至る配管内のヌメリや菌の繁殖を抑えることのできる浴槽水再利用装置を提供せんとするものであり、請求項１は、ポンプを備えた洗濯機と浴槽を配管でつなぎ、浴槽の残り湯を前記洗濯機へ送水するようにした浴槽水再利用装置において、前記配管の浴槽側取水口部材に磁石を埋め込んで構成したことである。
【０００５】
また請求項２は、前記取水口部材を構成する取水口カバーとフランジに、それぞれ磁石を設けたことである。
【発明の効果】
【０００６】
本発明は、ポンプを備えた洗濯機と浴槽を配管でつなぎ、浴槽の残り湯を洗濯機へ送水するようにした浴槽水再利用装置において、配管の浴槽側取水口部材に磁石を埋め込んで構成したことにより、浴槽の残り湯が、磁石を埋め込んだ取水口部材を通ることによって磁化水に変化し、これにより、配管内のヌメリや菌の繁殖を抑えることができ、洗濯機内で洗濯物をきれいに洗濯できるものとなる。
【０００７】
また、取水口部材を構成する取水口カバーとフランジに、それぞれ磁石を設けたことにより、浴槽の残り湯は、取水口カバーとフランジにそれぞれ設けた磁石の間を通って配管内に流れ込み、洗濯機に送水されるため、磁石の間を残り湯が通ることで磁化水に変化して、良好に配管内のヌメリや菌の繁殖を抑えることができるものとなる。
【実施例】
【０００８】
以下、本発明の実施例を図面に基づいて説明する。
図１は、浴槽と洗濯機の配置構成図である。
浴室１内に設置された浴槽２と、洗面室３内に設置された洗濯機４間は、配管５でつながれており、洗面室３の壁面から、配管５に接続されたホース６の先端の接続継手７が洗濯機４側に接続されるものである。
【０００９】
なお、浴槽２には取水口部材２ａが設けられ、この取水口部材２ａに配管５が接続されたものとなっており、洗濯機４内に内蔵された図示しないポンプを作動させることにより、浴槽２内の残り湯を取水口部材２ａから配管５内に吸い込んで、ホース６，接続継手７を通して洗濯機４内に流入させ、洗濯機４内で残り湯により良好に洗濯できるように構成されている。
【００１０】
図２は、浴槽２に対する取水口部材２ａの取付状態図であり、また図３は、取水口部材２ａの構成部材の分解斜視図であり、図４は、取水口部材２ａの構成部材の分解側面構成図である。
取水口部材２ａは、取水口カバー１０と、フランジ１１と、ゴムパッキン１２と、配管接続部材１３で構成されており、浴槽２の壁面に形成された開口２ｂの外側よりゴムパッキン１２を挟み配管接続部材１３で締め付けられて、フランジ１１が浴槽２に取り付けられるものであり、フランジ１１の浴槽内側に取水口カバー１０が覆設され、また浴槽外側では、配管接続部材１３に配管５が連通接続されるものである。
【００１１】
本例では、取水口部材２ａを構成するフランジ１１と、取水口カバー１０内に、それぞれ磁石１５ａ，１５ｂが埋め込み状に設けられており、磁石１５ａを設けた取水口カバー１０は、磁石１５ｂを設けたフランジ１１に対し、磁石１５ａと１５ｂの磁力によって、着脱可能に取り付けられるものである。
【００１２】
取水口カバー１０には、複数の吸込口１０ａ，１０ａ，１０ａが開口形成されており、洗濯機４内のポンプが作動することにより、この吸込口１０ａ，１０ａ，１０ａから浴槽２内の残り湯が取水口カバー１０内に吸い込まれて、フランジ１１，配管接続部材１３内を通って、残り湯が配管５を通り洗濯機４側へ流されるものであり、取水口カバー１０の吸込口１０ａから吸い込まれる残り湯は、取水口カバー１０側の磁石１５ａと、フランジ１１側の磁石１５ｂ間を通ることにより、即ち、磁石１５ａと１５ｂの磁束間を通ることで、磁力で残り湯が活性化して磁化水に変化し、配管５内のヌメリや菌の繁殖を抑えることができるものとなる。
当然、取水口部材２ａの構成部材内におけるヌメリや菌の繁殖も抑えることができ、更にはホース６，接続継手７内のヌメリや菌の繁殖も良好に抑えることができるものとなり、きれいな水が洗濯機４内に供給されて、きれいな水で良好に洗濯することができるものとなる。
【図面の簡単な説明】
【００１３】
【図１】浴槽と洗濯機の配置構成図である。
【図２】浴槽の壁面に取水口部材を取り付けた状態の設置構成図である。
【図３】取水口部材の構成部材の分解斜視図である。
【図４】取水口部材の構成部材の分解側面図である。
【符号の説明】
【００１４】
１  浴室
２  浴槽
２ａ  取水口部材
３  洗面室
４  洗濯機
５  配管
１０  取水口カバー
１０ａ  吸込口
１１  フランジ
１２  ゴムパッキン
１３  配管接続部材
１５ａ，１５ｂ  磁石
【図１】
2005194842.tif 000003
【図２】
2005194842.tif 000004
【図３】
2005194842.tif 000005
【図４】
2005194842.tif 000006
(57)【要約】【課題】近年著しく環境問題が取り上げられ、特に自動車の排出ガスのクリーン化が急務とされ各自治体の条例化による規制や自動車メーカー等の技術開発進歩で、現在販売されている新車は排出ガス浄化対策が施されたものである。しかしながら過去に販売された自動車は排気ガス浄化未対策のまま数多く走っているのが現状である。【解決手段】従来の排気ガス浄化対策は触媒や排気ガス再循環装置など大がかりな装置を必要とするが、自動車エンジンの吸入口にイオンを発生させる液体を入れた装置を取り付けることでイオン発生させて自動車排出ガスに含まれる一酸化炭素（ＣＯ）、炭化水素（ＨＣ）などを大幅に軽減することが出来る。【選択図】図２
2005194946.tif 000002
【特許請求の範囲】
【請求項１】
イオンを発生させる液体を自動車空気吸入口付近に設置し、イオンを発生させ内燃機関内に送り自動車排出ガスを浄化することを特徴とするイオン発生補助装置。
【請求項２】
前記をイオンを発生させる液体を入れる容器を合成樹脂等の材質を使用し小型軽量化し装着を簡単にすることを特徴とする請求項１記載のイオン発生補助装置。
【発明の詳細な説明】
【技術分野】
【０００１】
本発明は自動車排出ガスを浄化する補助装置に関する。
【背景技術】
【０００２】
従来の排出ガス浄化装置補助装置は排出ガスを再循環装置や触媒等を用いて排出ガスを浄化していた。
【０００３】
従来の排出ガス浄化補助装置取り付けは専用の工場や設備が必要である。
【発明の開示】
【発明が解決しようとする課題】
【０００４】
しかしながら、以上の技術によれば一般の自動車ユーザーが排気ガス浄化補助装置を取り付けたくても、設備面や経済的に困難であった。
そこでこの発明は、手軽に自動車ユーザーに自動車排出ガス浄化補助装置の装着が出来ることを課題とする。
【課題を解決するための手段】
【０００５】
以上の課題を解決するために、第一発明は、自動車空気吸入口付近にイオンを発生させる液体を入れた容器を取り付けイオンを発生させることを特徴とする自動車排出ガス浄化補助装置である。
また、第二発明はイオンを発生させる液体を軽量小型容器にすることで作業性の向上と、コストをおさえる。                                                          
【発明の効果】
【０００６】
第一発明、または第二発明によれば、自動車空気吸入口付近にイオンを発生させる液体を入れた容器を取り付けイオンを発生させることにより燃焼効率を上げ自動車排出ガスに含まれる一酸化炭素（ＣＯ）、炭化水素（ＨＣ）等を大幅に軽減することが出来る。
【発明を実施するための最良の形態】
【０００７】
この発明の実施形態を図２、図４に示す。
この本体はペット、ポリウレタン系、ポリ塩化ビニル系等の合成樹脂での成型品で小型軽量化したものである。
【０００８】
図２で示した空気取り入れ口に本体吸入口取り付け部分をビニールホース等で連結し差し込み固定する、または空気吸入パイプ等に適当な穴を開け本発明の補助装置を差し込み本体を固定する（図４参考）。
【０００９】
「実施形態の効果」
この実施形態によれば、取り付け以前より自動車排出ガスに含まれる一酸化炭素（ＣＯ）、炭化水素（ＨＣ）などを大幅に軽減することが出来る。
【図面の簡単な説明】
【００１０】
【図１】本発明の補助装置本体。
【図２】本発明の取り付け形態１。
【図３】本発明の取り付け展開図。
【図４】本発明の取り付け形態２。                                                                        （２）
【符号の説明】
【００１１】
Ａ１  本発明の補助装置本体        Ａ２  イオンを発生させる液体
Ａ３  空気吸入口取り付け部分
Ｂ１  エアクリーナー本体          Ｂ２  空気吸入口
Ｂ３  空気吸入パイプ              Ｂ４  キャブレター空気吸入口
Ｂ５  ビニールホース              Ｂ６  取り付け穴
（１）
【図１】
2005194946.tif 000003
【図２】
2005194946.tif 000004
【図３】
2005194946.tif 000005
【図４】
2005194946.tif 000006
(57)【要約】【課題】本発明は、本発明は、水カートリッジタンクから水槽部に注入となる水が濾過装置で浄化され、浄化された水を吸水布フィルター倦着回動扇が回動吸水し、その吸水布フィルターの水が気化となり、送風ファンと光触媒灯で清浄放出されもので、人体への健康に配慮した卓上型涼風扇を得る。【解決手段】  本体が中空状の略四辺形を形成し、底部に左右に回動自在な円盤台座を設け、前部に回動するオートルーバーを取り付け、そのオートルーバーの後部となる本体内部に光触媒灯を取り付け、その後部に送風ファンを取り付け、送風ファンの後方に吸水布フィルター倦着回動扇を取り付け、吸水布フィルター倦着回動扇の下部に濾過装置と取り付けた水槽部を設け、その水槽部に吸水布フィルター倦着回動扇の周縁が浸かりながら回動するようにし、本体側面の一方に着脱自在となる水カートリッジタンクを設け、水カートリッジタンクの下端に逆止弁を取り付けて水槽部の濾過装置に挿着できるようにし、本体背面カバーに防塵フィルターを取り付けた。【選択図】  図２
2005194992.tif 000002
【特許請求の範囲】
【請求項１】
本体が中空状の略四辺形を形成し、底部に左右に回動自在な円盤台座を設け、前部に回動するオートルーバーを取り付け、そのオートルーバーの後部となる本体内部に光触媒灯を取り付け、その後部に送風ファンを取り付け、送風ファンの後方に吸水布フィルター倦着回動扇を取り付け、吸水布フィルター倦着回動扇の下部に濾過装置と取り付けた水槽部を設け、その水槽部に吸水布フィルター倦着回動扇の周縁が浸かりながら回動するようにし、本体側面の一方に着脱自在となる水カートリッジタンクを設け、水カートリッジタンクの下端に逆止弁を取り付けて水槽部の濾過装置に挿着できるようにし、本体背面カバーに防塵フィルターを取り付けたことを特徴とする卓上型涼風扇。
【発明の詳細な説明】
【技術分野】
【０００１】    本発明は、卓上型涼風扇に関する。
【背景技術】
【０００２】    従来、縦型布ロール式、水カーテン式、円盤吸水フィルター式の涼風扇があった。
【発明の開示】
【発明が解決しようとする課題】
【０００３】    従来では、縦型布ロール式や水カーテン式などの涼風扇であった為、本体が大きくスペースを必要であるとともに、内部で循環する水や装置を浄化できない為、有害な有機物が発生し、脱臭、防汚から人体への健康が心配される問題があった。【０００４】    本発明は、水カートリッジタンクから水槽部に注入となる水が濾過装置で浄化され、浄化された水を吸水布フィルター倦着回動扇が回動吸水し、その吸水布フィルターの水が気化となり、送風ファンと光触媒灯で清浄放出されもので、人体への健康に配慮した卓上型涼風扇の提供を目的とするものである。
【課題を解決するための手段】
【０００５】    前記の課題を達成するため、本体が中空状の略四辺形を形成し、底部に左右に回動自在な円盤台座を設け、前部に回動するオートルーバーを取り付け、そのオートルーバーの後部となる本体内部に光触媒灯を取り付け、その後部に送風ファンを取り付け、送風ファンの後方に吸水布フィルター倦着回動扇を取り付け、吸水布フィルター倦着回動扇の下部に濾過装置と取り付けた水槽部を設け、その水槽部に吸水布フィルター倦着回動扇の周縁が浸かりながら回動するようにし、本体側面の一方に着脱自在となる水カートリッジタンクを設け、水カートリッジタンクの下端に逆止弁を取り付けて水槽部の濾過装置に挿着できるようにし、本体背面カバーに防塵フィルターを取り付けた手段を講じている。
【発明の効果】
【０００６】    本発明の卓上型涼風扇では、従来から本体の小型化を円盤吸水フィルターを用いて実現し、また、気化作用の向上と器内の水や装置により、人体の健康阻害が懸念されていたが、水注入時の濾過処理と気化放出の際に殺菌処理され、人体に安全なものである。
【発明を実施するための最良の形態】
【０００７】    発明の実施の形態を実施例にもとづき図面を参照して説明する。
図１〜図４で示す実施例では、本体１が中空状の略四辺形を形成し、底部に左右に回動自在な円盤台座２を設け、前部に回動するオートルーバー３を取り付け、そのオートルーバー３の後部となる本体内部に光触媒灯４を取り付け、その後部に送風ファン５を取り付け、送風ファン５の後方に吸水布フィルター倦着回動扇６を取り付け、吸水布フィルター倦着回動扇６の下部に濾過装置７と取り付けた水槽部８を設け、水槽部８に吸水布フィルター倦着回動扇６の周縁が浸かりながら回動するようにし、本体側面の一方に着脱自在となる水カートリッジタンク９を設け、水カートリッジタンク９の下端に逆止弁１０を取り付けて水槽部８の濾過装置７に挿着となり、本体背面カバー１１に防塵フィルター１２を取り付け、本体１の上面に操作スイッチ盤１３と折畳ハンドル１４を設け、折畳ハンドル１４がハンドル収納部１５に折畳収納するようにしている。【０００８】    また、図３で示す実施例では、本体１側面で着脱自在となる下端に逆止弁１０を設けた水カートリッジタンク９を、水槽部８の濾過装置７に挿着させ、水カートリッジタンク９からの水が濾過浄化されながら水槽部８に注入できるようにしている。【０００９】    そして、図４で示す実施例では、本体背面カバー１１の防塵フィルター１２を示している。
【図面の簡単な説明】
【００１０】
【図１】  本発明の実施例を示す斜視図である。
【図２】  本発明の実施例を示す側面からの断面図である。
【図３】  本発明の実施例を示す背面からの断面図である。
【図４】  本発明の実施例を示す背面図である。
【符号の説明】
【００１１】  １  本体
２  円盤台座
３  オートルーバー
４  光触媒灯
５  送風ファン
６  吸水布フィルター倦着回動扇
７  濾過装置
８  水槽部
９  水カートリッジタンク
１０  逆止弁
１１  本体背面カバー
１２  防塵フィルター
１３  操作スイッチ盤
１４  折畳ハンドル
１５  ハンドル収納部
【図１】
2005194992.tif 000003
【図２】
2005194992.tif 000004
【図３】
2005194992.tif 000005
【図４】
2005194992.tif 000006
(57)【要約】【課題】この発明は、車の黒煙、排気ガスをガス化バーナーで真っ赤に熱したセラミック球の間を通すことにより、完全燃焼させる装置に関するものである。【解決手段】ガス化バーナー２で、真っ赤に熱したセラミック球１へ排気ガス口４から、黒煙、排気ガスが流れ真っ赤に熱したセラミック球１の間を通り、完全燃焼し排気５からきれいにされて排気する。【選択図】図１
2005194990.tif 000002
【特許請求の範囲】
【請求項１】
車の黒煙、排気ガスをガス化バーナーで、真っ赤に熱したセラミック球の間を通して、完全燃焼させ車の黒煙、排気ガスをきれいにして排気することを特徴とするセラミック球排気ガス完全燃焼装置である。
【発明の詳細な説明】
【技術分野】
【０００１】  本発明は、車の黒煙、排気ガスをきれいにして、排気する装置に関するものである。
【背景技術】
【０００２】  車の排気ガスの処理にはフィルターや触媒が使われているが、きれいな排気になっておらず、特にディーゼル車は黒煙などで大気汚染の環境問題となっている。
【発明の開示】
【発明が解決しようとする課題】
【０００３】  解決しようとする問題点は、車の黒煙、排気ガスをきれいにして排気する点である。
【課題を解決するための手段】
【０００４】  本発明は、車の黒煙、排気ガスをガス化バーナーで真っ赤に熱したセラミック球の間を通すことによって、車の黒煙、排気ガスを完全燃焼させきれいにして排気することを特徴とする。
【発明の効果】
【０００５】  本発明の排気ガス完全燃装置は、車の黒煙、排気ガスをガス化バーナーで、真っ赤に熱した
セラミック球の間を通すことによって、車の大小排気量にかかわらず、車の無煙、排気ガスをきれいにして排気するという利点がある。
【発明を実施するための最良の形態】
【０００６】  ガス化バーナーで、真っ赤に熱したセラミック球の間を、車の黒煙、排気ガスを通すことによって完全燃焼させ、車の黒煙、排気ガスをきれいにして排気することを実現する。
【実施例１】
【０００７】  本発明装置は、ガス化バーナーで真っ赤に熱したセラミックボ球の間を車の無煙、排気ガスを通すことによって完全燃焼し車の黒煙、排気ガスをきれいにして排気する。
【産業上の利用可能性】
【０００８】  本発明は、車の大小排気量にかかわらず、車の黒煙、排気ガスをきれいにして排気し、またこの装置を応用すれば工場などの排煙をきれいするなど、多様な用途に適応できいる。
【図面の簡単な説明】
【０００９】
【図１】セラミック球排気ガス完全燃焼装置の実施法を示した断面図である。
【符号の説明】
【００１０】  １  セラミック球
２  ガス化バーナー
３  燃焼炉
４  排気ガス口
５  排気
６  自動車のマフラー
７  自動車の燃料タンク入
【図１】
2005194990.tif 000003
(57)【要約】【課題】  ガスバリヤー性に優れたゴム組成物を提供する。【解決手段】  ブチルゴムを６０重量％以上含むゴムに、フレーク状金属を配合してなるゴム組成物。【選択図】      なし【特許請求の範囲】
【請求項１】
ブチルゴムを６０重量％以上含むゴムに、フレーク状金属を配合してなるゴム組成物。
【請求項２】
ブチルゴムを６０重量％以上含むゴムに、当該ゴム総量１００重量部に対しフレーク状金属を５〜４００重量部配合してなるタイヤ用インナーライナーゴム組成物。
【請求項３】
ブチルゴムを６０重量％以上含むゴムに、当該ゴム総量１００重量部に対しフレーク状金属を５〜４００重量部配合してなる水性または溶剤系コーティングゴム組成物。
【請求項４】
前記フレーク状金属がアルミニウムフレークである、請求項１〜３のいずれか１項に記載のゴム組成物。
【発明の詳細な説明】
【技術分野】
【０００１】
本発明は、ガスバリヤー性に優れたゴム組成物、および当該ゴム組成物のインナーライナーゴム組成物またはコーティングゴム組成物への利用に関する。
【背景技術】
【０００２】
ガスバリヤー性の高いタイヤ用インナーライナーを作製するために、種々の層状鉱物、鱗片状鉱物をブチルゴムなどのガスバリヤー性の高いゴムに混入することが知られている（例えば、特開平６−１１６４３９号公報、特開平１１−１４０２３４号公報、特開２００２−８８２０６号公報および特開２００２−８８２０８号公報等）。しかしながら、その効果は、未だ満足できるものではなく、更なるガスバリヤー性の高いゴム組成物が望まれている。
【０００３】
【特許文献１】特開平６−１１６４３９号公報
【特許文献２】特開平１１−１４０２３４号公報
【特許文献３】特開２００２−８８２０６号公報
【特許文献４】特開２００２−８８２０８号公報
【発明の開示】
【発明が解決しようとする課題】
【０００４】
よって、本発明では、柔軟性を保持しつつ、高いバリヤー性を達成し得るゴム組成物、当該ゴム組成物を使用するタイヤ用インナーライナー組成物および水性または溶剤系コーティングゴム組成物を提供することを目的とする。
【課題を解決するための手段】
【０００５】
本発明によれば、ブチルゴムを６０重量％以上含むゴムに、フレーク状金属を配合してなるゴム組成物が提供される。また、本発明によれば、ブチルゴムを６０重量％以上含むゴムに、当該ゴム総量１００重量部に対しフレーク状金属を５〜４００重量部配合してなるタイヤ用インナーライナーゴム組成物、および水性または溶剤系コーティングゴム組成物が提供される。
【発明を実施するための最良の形態】
【０００６】
本発明では、従来の種々層状鉱物、鱗片状鉱物に代えて金属フレークをゴムに配合したところ、柔軟でかつ優れたガスバリヤー性を有するゴム組成物が得られることを見出したものである。
【０００７】
本発明のゴム組成物におけるゴム成分としては、それ自体がガスバリヤー性の良好なブチルゴムが使用される。当該ブチルゴムには、ブチルゴム（ＩＩＲ）の外、臭素化ブチルゴム（Ｂｒ−ＩＩＲ）、塩素化ブチルゴム（Ｃｌ−ＩＩＲ）、臭素化イソブチレン−ｐ−メチルスチレン共重合体ゴム（ＢＩＭＳ）等が用いられる。そのうち、特に十分な加硫速度を得る観点から、臭素化ブチルゴムの使用が好ましい。
【０００８】
本発明のゴム組成物に配合される金属フレークとしては、例えば、アルミニウムフレーク、扁平状Ｆｅ−Ｎｉ合金フレーク、扁平状Ｆｅ−Ｓｉ合金フレーク、銅フレーク、ニッケルフレーク、クロムフレーク、チタンフレーク、亜鉛フレーク、鉄フレーク、ブロンズフレーク、ステンレスフレーク等が挙げられるが、そのうち、比重等の理由から、アルミニウムフレークを用いることが好ましい。
【０００９】
本発明のゴム組成物に配合されるガスバリヤー性を得るための金属フレークの平均粒径は、１〜１００μｍ、より好ましくは３〜５０μｍ、平均厚さは０．０１〜５μｍ、より好ましくは０．０２〜２μｍが適当である。当該金属フレークの表面には、脂肪族アルコールの正燐酸モノエステルおよび／または正燐酸ジエステル以外の物質、例えば脂肪酸（オレイン酸、ステアリン酸等）、脂肪族アミン、脂肪酸アミド、脂肪酸アルコール、エステル化合物等が吸着していてもよい。また、金属フレーク表面に他の着色顔料層や干渉膜等を形成し着色された着色金属フレークを使用してもよい。更に、当該金属フレークの配合量については、得られるゴム組成物の柔軟性とガスバリヤー性を保持し、かつその他ゴム特性を損わない範囲である５〜４００重量部、好ましくは１０〜３００重量部とすることが好ましい。
【００１０】
本発明のゴム組成物には、更に、通常のカーボンブラック等の補強剤、加硫または架橋剤、加硫または架橋促進剤、各種オイル、老化防止剤、充填材、可塑化剤、その他一般ゴム用に一般的に配合されている各種添加剤、配合剤を配合することができ、かかる配合物は、一般的な方法で混練、加硫してゴム組成物とし、加硫または架橋することができる。これら添加剤、配合剤の配合量も、本発明の目的に反しない限り、従来の一般的な量とすることができる。
【実施例】
【００１１】
以下、実施例および比較例によって本発明を更に説明するが、本発明の範囲をこれらの実施例に限定するものでないことは言うまでもない。
【００１２】
試験方法
１）破断特性：  ＪＩＳ Ｋ６２５１に準拠して、Ｍ３００（３００％モジュラス）を測定した。
２）通気度：  東洋精機製ガス透過率測定装置ＭＴ−Ｃ３を用いて、ＪＩＳ Ｋ７１２６に準拠して７０℃で測定した。
【００１３】
実施例１〜６および比較例１〜３
比較例１および実施例１〜４では、当該各例の配合からなる０．５ｍｍ厚の加硫ゴムシートについて、その破断特性および通気度を測定した。また、比較例２、３および実施例５、６では、比較例１の配合からマイカを除いた配合からなる０．５ｍｍ厚の加硫ゴムシート上に、当該各例の配合からなるコーティング膜を塗布、乾燥後（膜厚０．１ｍｍ）、その通気度を測定した。
結果を表１に示す。
【表１】
2005194317.tif 000002
【００１４】
表１の結果によると、本発明の金属フレークを所定量配合したゴム組成物は、従来の層状鉱物のマイカを配合したものに比して、弾性物性を維持しつつ、ガスバリヤー性が顕著に向上していることがわかる。
【産業上の利用可能性】
【００１５】
よって、本発明のゴム組成物は、特にガスバリヤー性が要求される、タイヤ用インナーライナーおよびコーティング剤組成物等に有効に適用できる。
(57)【要約】【課題】  本発明は、物に付着する樹木ヤニの除去を、樹木ヤニ除去剤スプレーにより除去剤を泡の噴射で行い、ヤニに噴射した泡状の樹木ヤニ除去剤が、刃物の表面上に広がり、ヤニを覆って分解させ、ブラッシングや刃物の浸け置き等をせず、短時間で軽く拭き取りだけで除去できるようにし、切れ味や切断面の精度を取り戻して、スムーズな切断とができるように成る樹木ヤニ除去剤スプレーとその使用方法を得る。【解決手段】  スチール製中空状のスプレー缶内に気密圧入された樹木ヤニ除去剤において、ポリオキシエチレンノニルフェニルエーテル、エチレングリコールモノブチルエーテル（イソプロピルアルコール，２−プロパノール）、モルホリン（テトラヒドロー１，４−オキサジン）、水酸化ナトリュウム、プロパン及びブタンを混合してなる手段を講ずる。【特許請求の範囲】
【請求項１】
スチール製中空状のスプレー缶内に気密圧入された樹木ヤニ除去剤において、ポリオキシエチレンノニルフェニルエーテル、エチレングリコールモノブチルエーテル（イソプロピルアルコール，２−プロパノール）、モルホリン（テトラヒドロー１，４−オキサジン）、水酸化ナトリュウム、プロパン及びブタンを混合してなることを特徴とする樹木ヤニ除去剤スプレー。
【請求項２】
前記スプレー缶より噴出する樹木ヤニ除去剤が泡状であり、その泡状の樹木ヤニ除去剤を刃物の被着したヤニに噴射し、泡状の樹木ヤニ除去剤が刃物に付着したヤニを覆って表面上に広がり、ヤニを分解させ手間無く拭き取りだけで除去できるようになる請求項１記載の樹木ヤニ除去剤スプレーとその使用方法。
【発明の詳細な説明】
【技術分野】
【０００１】    本発明は、刃物に被着した樹木ヤニを除去する樹木ヤニ除去剤スプレーに関する。
【背景技術】
【０００２】    従来、刃物の表面に付着した樹木ヤニの除去においては、取り難いものであり、灯油等を用いてワイヤブラシでブラッシングや、布で拭き取ったり、取れ難いヤニは刃物を浸け置きし、ヤニを柔らかくさせて拭き取っていた。
【発明の開示】
【発明が解決しようとする課題】
【０００３】    従来から刃物に付着する樹木ヤニは、切れ味の低下や切断面の精度及び切断作業或るいは機械などに負担がかかるようになり、ヤニの除去を灯油等を用いブラッシングや布で拭き取ったり、刃物を浸け置きしてヤニを柔らかくし拭き取っていたが、ヤニの分解が遅く、除去には労力や必要とし、また、ヤニを完全に拭き取るには時間がかかる問題があった。【０００４】    本発明は、刃物に付着する樹木ヤニの除去を、樹木ヤニ除去剤スプレーにより除去剤を泡の噴射で行い、ヤニに噴射した泡状の樹木ヤニ除去剤が、刃物の表面上に広がり、ヤニを覆って分解させ、ブラッシングや刃物の浸け置き等をせず、短時間で軽く拭き取りだけで除去できるようにし、切れ味や切断面の精度を取り戻して、スムーズな切断とができるように成る樹木ヤニ除去剤スプレー及びその使用方法の提供を目的とするものである。
【課題を解決するための手段】
【０００５】    前記の課題を達成するため、スチール製中空状のスプレー缶内に気密圧入された樹木ヤニ除去剤において、ポリオキシエチレンノニルフェニルエーテル、エチレングリコールモノブチルエーテル（イソプロピルアルコール，２−プロパノール）、モルホリン（テトラヒドロー１，４−オキサジン）、水酸化ナトリュウム、プロパン及びブタンを混合してなる手段を講じている。【０００６】    また、スプレー缶より噴出する樹木ヤニ除去剤が泡状であり、その泡状の樹木ヤニ除去剤を刃物の被着したヤニに噴射し、泡状の樹木ヤニ除去剤が刃物に付着したヤニを覆って表面上に広がり、ヤニを分解させ手間無く拭き取りだけで除去できる。
【発明の効果】
【０００７】  本発明の一体鋸身と嵌脱柄部とで成る洋鋸では、従来の洋鋸より鋸身の板の厚さを厚くし、鋸身が一体なったことにより、木を切る時、押す動作での鋸として切断抵抗が少なく、鋸身の振れや曲がったりすることがなくなり、鋸身と柄との一体感が生まれてスムーズな切断感覚が生ずるものである。
【発明を実施するための最良の形態】
【０００８】    発明を実施するための最良の形態を実施例にもとづき説明する。
スチール製中空状のスプレー缶内に気密圧入された樹木ヤニ除去剤において、ポリオキシエチレンノニルフェニルエーテル（１）、エチレングリコールモノブチルエーテル（イソプロピルアルコール，２−プロパノール）（２）、モルホリン（テトラヒドロー１，４−オキサジン）（３）、水酸化ナトリュウム（４）、プロパン及びブタン（５）を混合している。【０００９】
【化１】
2005194339.tif 000002
【００１０】
【化２】
2005194339.tif 000003
【００１１】
【化３】
2005194339.tif 000004
【００１２】
【化４】
2005194339.tif 000005
【００１３】
【化５】
2005194339.tif 000006
【００１４】    また、刃物に付着したヤニへ、樹木ヤニ除去剤が泡状で噴射されるので、液ダレが無く、表面上を被膜してヤニの分解を行い、分解ができるまで放置でき、後は軽く拭き取りするだけの簡単さである。【００１５】    前記のような構成により、スプレー缶より噴出する樹木ヤニ除去剤が泡状であり、その泡状の樹木ヤニ除去剤を刃物に付着したヤニに噴射し、泡状の樹木ヤニ除去剤が刃物に付着したヤニを覆って表面上に広がり、ヤニを分解させ手間無く拭き取りだけで除去できるようになる。
(57)【要約】【課題】ローズマリーを使用する事により、肌自身に若さとハリを与え更に髪に使用すればパサツキをなくしシットリ感が得ることができる、安心して使用のできる化粧水を提供することを目的とする。【解決手段】焼酎１リットルにローズマリーを漬け込んだ液にグリセリン２０ｃｃを添加して成す。【特許請求の範囲】
【発明の詳細な説明】
【発明が解決しようとする課題】
ローズマリーを使用することにより肌自身に若さとはりを与え、髪に使用すればパサツキをなくしシットリ感を得ることができる、安心して使用のできる化粧水を提供することを目的とする。
【課題を解決するための手段】
焼酎１リットルにローズマリーを漬け込んだ液にグリセリン２０ｃｃを添加して成す。
【発明の効果】
肌が垢抜け、若返った。
【手続補正書】
【提出日】平成16年3月30日(2004.3.30)
【手続補正１】
【補正対象書類名】特許請求の範囲
【補正対象項目名】全文
【補正方法】変更
【補正の内容】
【特許請求の範囲】
【請求項１】
乾燥させたローズマリーを有効成分として含有することを特徴とする肌、髪改善化粧料。
【請求項２】
焼酎２リットルに対し乾燥させたローズマーリの含有量が約１００グラム、１〜２ヶ月おいた後グリセリン含有量が４０〜２００ｃｃであることを特長とする。
【請求項３】
化粧水である請求工１又は２記載の皮膚、髪化粧料。
(57)【要約】【課題】  月桃由来物質の防腐殺菌効果等を損なわず、なおかつ皮膚への刺激を緩和したパックの提供。【解決手段】小麦粉と昆布粉末を混合する事により、小麦粉の澱粉質が皮膚の汚れを吸着し、昆布粉末のヨード、ミネラル分により、皮膚の保湿性を高め、さらにシミやシワをとり、引き締める効果まであり、各々単品、または２種の混合物質よりも、効果が得られる。【選択図】  なし【特許請求の範囲】
【請求項１】
月桃葉粉末と小麦粉と昆布粉末を配合したパック剤。
【発明の詳細な説明】
【発明の詳細な説明】
【技術分野】
【０００１】本発明は、従来の月桃葉粉末よりもより自然に近い物質のまま皮膚刺激を緩和し、利用ごとに水で溶いて使用する方法。
【背景技術】
【０００２】従来から民間療法などでは小麦粉と様々なものを混合したパック剤が使用されているが、月桃との混合物がパック剤として使用された物が特許出願されている例は見当たらない。【０００３】月桃、小麦粉、昆布のいずれかを使用したパックに関する公知技術として次の物があげられる。エステ用パック使用方法（特開２００３−２２１３０９公報）、月桃葉粉体を利用したパック剤（特開２００２−３７０９６５公報）、沖縄のシルト岩微粒子を主剤とした外皮用剤とその製造方法（特開２００２−２９９２４公報）、美肌用栄養パック剤（特開２０００−３４４６５２公報）、入浴剤を使用した健康美肌パッド（特開２０００−１４３４９０公報）、パック剤（特開平６−２７９２３４公報）、
【発明が解決しようとする課題】
【０００４】小麦粉のみのパックでは皮膚の汚れの吸着程度の結果しか期待できない。
【０００５】さらに、月桃葉は直接人の皮膚に塗布すると、紅斑などをおこす事が知られており皮膚への刺激を緩和する必要があった。
【０００６】そこで、月桃由来物質の防腐殺菌効果等を損なわず、なおかつ月桃葉の皮膚への刺激を緩和する素材として小麦粉と、さらに昆布粉末を混合した。
【課題を解決するための手段】
【０００７】月桃葉を直接人の皮膚に塗布すると、紅斑などをおこす事は前記の通りだが、小麦粉と混合する事によってこの問題を解消する事ができる。
【０００８】さらに、昆布粉末を混合する事により、昆布に含まれる粘性の成分が皮膚の保湿性を高め、皮膚を引き締める効果もある。
【発明を実施するための最良の形態】
【０００９】本発明の配合量は次の通りである。【００１０】小麦粉６０％：月桃粉末２０％：昆布粉末２０％
【実施例】
【００１１】この混合粉末を利用ごとに、水またはぬるま湯で溶いて使用する。【００１２】クリーム状になったパック剤を顔に塗布し、そのまま１０〜２０分間程度そのままにした後、水またはぬるま湯で洗い流します。
【発明の効果】
【００１３】本発明のパック剤は、月桃由来物質のもっている防腐、殺菌作用、消臭作用を損なう事なく、小麦粉の澱粉質により皮膚の汚れを吸着し、昆布粉末のヨード、ミネラル分により、皮膚の保湿性を高め、さらにシミやシワをとり、引き締める効果まであり、各々単品、または２種の混合物質よりも、効果が得られる。
(57)【要約】【課題】  高計数率、広い中性子エネルギー範囲、低ガンマ線検出特性が要求される中性子検出用蛍光材料として、短い蛍光寿命を持ち、かつ軽元素で構成された蛍光材料を提供する。【解決手段】  短い蛍光寿命を持ち、高い中性子捕獲効率を持ち、かつ軽元素で構成された中性子検出用蛍光材料として、青色蛍光体ZnS:AgにNi（ニッケル）を共付活材として10 ppm以上50 ppm以下添加して蛍光寿命特性を改善した蛍光体を中性子捕獲断面積の大きいLi(リチウム)の同位元素である6Li、あるいはB(ボロン)の同位元素である10Bを含む中性子コンバータと混合して得られる蛍光材料で、軽元素である6Li又は10Bの中性子捕獲反応により放出される電離放射線で励起された蛍光体粉末からの発光を利用して中性子を検出する中性子検出用蛍光材料を用いる。【選択図】  図１
2005194477.tif 000002
【特許請求の範囲】
【請求項１】
青色蛍光体ZnS:AgにNi(ニッケル)を共付活材として10 ppm以上50 ppm以下添加して蛍光寿命特性を改善した蛍光体粉末を、中性子捕獲断面積の大きいLi(リチウム)の同位元素である6Li、あるいはB(ボロン)の同位元素である10Bを含む中性子コンバータと混合して得られる蛍光材料で、軽元素である6Li又は10Bの中性子捕獲反応により放出される電離放射線で励起された蛍光体粉末からの発光を利用して中性子を検出することを特徴とした中性子検出用蛍光材料。
【発明の詳細な説明】
【技術分野】
【０００１】
本発明は、中性子検出に用いる蛍光材料に関する。
【背景技術】
【０００２】
従来、中性子検出用蛍光材料には、Ni無添加の青色蛍光体ZnS:Ag粉末を6LiF粉末と混合したものが広く用いられてきた。この青色蛍光体ZnS:Agを用いた中性子用蛍光材料は蛍光量が大きく、ガンマ線感度も低いという利点があるものの、蛍光の短寿命成分が200 nsと長く、さらに長寿命成分も存在することから1 Mcps以上の高計数率測定は困難であった（非特許文献１）。
一方、Ni添加の青色蛍光体ZnS:Agについては、陰極線管用として特許公開公報(非特許文献１〜６)が出されており、電子線による蛍光の測定もなされ、蛍光寿命特性の改善が確認されている。しかし、中性子検出用として中性子コンバータと混合した蛍光材料に対する蛍光特性及び光電子増倍管との組み合わせによる中性子検出特性は未だに測定されておらず、6Li又は10Bを用いて中性子検出を行う際最も必要とされるa線に対する蛍光寿命も測定されていなかった。
【非特許文献１】放射線ハンドブック第２版
【特許文献１】特開昭60-156787号公報
【特許文献２】特開平8-264132号公報
【特許文献３】特開昭60-199090号公報
【特許文献４】特開昭60-199091公報
【特許文献５】特開昭60-199092号公報
【特許文献６】特開昭56-156649公報
【発明の開示】
【発明が解決しようとする課題】
【０００３】
大強度陽子加速器を用いた大強度パルス中性子源が最近使用されるようになり、パルス中性子の強度及び発生する中性子エネルギー範囲が広がるにつれ、高計数率に対応し、検出器を飽和させることなく、かつ簡便に中性子の検出及び２次元中性子イメージングが可能な検出器の開発が不可欠である。また、ガンマ線バックグラウンドの影響を軽減した中性子検出も不可欠でありできるだけ軽元素で構成された中性子検出用蛍光材料の開発が望まれていた。
【課題を解決するための手段】
【０００４】
本発明に係る中性子検出用蛍光材料は、青色蛍光体ZnS:AgにNi（ニッケル）を共付
活材として10 ppm以上50 ppm以下添加して蛍光寿命特性を改善した蛍光体粉末を、中性子捕獲断面積が大きいLi(リチウム)の同位元素である6Li、あるいはB(ボロン)の同位元素である10Bを含む中性子コンバータと混合して得られる蛍光材料で、軽元素である6Li又は10Bの中性子捕獲反応により放出される電離放射線で励起された蛍光体粉末からの発光を利用して中性子を検出する構成とする。
【発明の効果】
【０００５】
大強度のパルス中性子を用いた飛行時間法(TOF)法による中性子散乱実験に不可欠な中性子検出器には、高計数率、広い中性子エネルギー範囲、低ガンマ線検出特性が要求されるため、蛍光寿命が短く、中性子捕獲効率が高く、軽元素で構成された中性子検出用シンチレータの開発が望まれていた。本発明のNi（ニッケル）を共付活材として添加した青色蛍光体ZnS:Agと中性子捕獲断面積の大きい中性子コンバータを混合した中性子検出用蛍光材料はこれらの性能を十分満足するものである。以下、本発明を実施例に基づいて説明する。
【実施例】
【０００６】
実施例として、中性子検出用蛍光材料としてNi添加量 0ppm, 5ppm, 10ppm, 20ppm, 50ppm, 100ppm及び200ppmの青色蛍光体ZnS:Ag７種類と6Liが95wt%まで濃縮されたLiを含むLiF粉末を重量比4:1の割合で混合し、バインダーを用いてアルミニウム製基板に塗布して作成した試料をもとに述べる。この試料の蛍光面が光電子増倍管の前面に密着するように装着した後、中性子を照射し中性子入射に対して出力された光電子増倍管からの電流出力信号波形をデジタルオシロスコープを用いて測定した。光電子増倍管としては浜松ホトニクス製R647Pを用い、印加電圧-1000Vで測定した。この信号波形を信号処理して、短寿命成分の評価には0.4 msまでの、長寿命成分の評価には4 msまでの、積分強度が1/2になるまでの時間を蛍光寿命と定義して求めた。求めた、結果を図１に示す。
【０００７】
短寿命成分についての結果を見ると、Niの添加量を5 ppmにすると蛍光寿命が一度増加し、その後Niの添加量の増加とともに蛍光寿命が減少することがわかる。一方、長寿命成分についての結果を見ると、Niの添加量を5 ppmにすると蛍光寿命が一度増加し10 ppm程度でほぼ同等となった後Niの添加量の増加とともに蛍光寿命が減少するが、50 ppmを超えるとまた増加に転じることがわかる。この結果より、Niの添加量として10 ppm以上50ppm以下の範囲で用いることが適当である。
また、6Liを中性子コンバータとして用い、Niの添加量が20 ppm及び50ppmの試料について熱中性子に対する検出効率を測定した結果、3.6 %及び2.3 %が得られた。さらに、6Liの約4倍の中性子捕獲断面積を持つ96 ％濃縮10Bを中性子コンバータとして用い、Niの添加量が20 ppmの試料について熱中性子に対する検出効率を測定した結果、21.2 %の検出効率が得られた。
【図面の簡単な説明】
【０００８】
【図１】Ni（ニッケル）を共付活材として添加した青色蛍光体ZnS:Agと6LiF粉末を重量比4:1の割合で混合しバインダーを用いてアルミニウム製基板に塗布したものに熱中性子が入射した際出力される蛍光を光電子増倍管で計測し電流出力パルス信号波形を信号処理した後、Niの添加量毎に平均化した蛍光寿命を示した図である。
【図１】
2005194477.tif 000003
(57)【要約】【課題】  本発明は、任意の巾、長さ、両耳を利用する晒を３枚裁断し、その晒を３枚重ね、晒の中央部で縫い合わせたもので、和服用の体形にバスト部分を整え、着物姿をより美しく仕上げることが出来るように工夫した、簡易バスト補整具を提供する。【解決手段】  任意の巾、長さ、両耳を使用した晒（１）を３枚裁断し、晒（１）を重ね、中央部（３）を縫い合わせたことを特徴とする。【選択図】  図１
2005194680.tif 000002
【特許請求の範囲】
【請求項１】
任意の巾、長さ、両耳を使用した晒（１）を３枚裁断し、晒（１）を重ね、中央部（３）を縫い合わせたことを特徴とする簡易バスト補整具。
【発明の詳細な説明】
【技術分野】
【０００１】  本発明は、任意の巾、長さ、両耳を利用する晒を３枚裁断し、その晒を３枚重ね、晒の中央部で縫い合わせたもので、和服用の体形にバスト部分を整え、着物姿をより美しく仕上げることが出来るように工夫した、簡易バスト補整具に関するものである。
【背景技術】
【０００２】  和服用の体形にバスト部分を整え、着物姿を美しく、着くずれないよう着付けるためには、体の凹凸部をなくし、なだらかな筒状に近づけることが重要であった。
従来は、長い晒を幾重にも巻いていたので、晒がずれたり、息苦しくなったり、時間もかかり、理想の体形、特にバストを整える技術の修得には、かなりの努力を必要としていた。
【発明の開示】
【発明が解決しようとする課題】
【０００３】  そのために次のような問題点があった。
（イ）バストを適度に押えないと、帯の上側にかかってしまい、年令より老けて見えていた。
（ロ）従来の晒で巻く補正は、一方向から巻くので、バストが片寄ってしまい、きれいに巻くことが難しかった。
（ハ）幾重にも巻くので、時間がかかり過ぎる。
本発明は、これらの問題点を解決するためになされたものである。
【課題を解決するための手段】
【０００４】  任意の巾、長さ、両耳を利用する晒（１）を３枚裁断し、晒の３枚重ね（２ａ）、（２ｂ）、（２ｃ）、晒（１）の中央部（３）で縫い合わせる。
本発明は、以上の構成よりなる簡易バスト補整具である。
【発明の効果】
【０００５】  本発明を使用することによって、今まで難しく、時間のかかった補整も１枚ずつ交互に打ち合わせるだけで解消できる。
吸汗性ある晒なので付け心地も良い。
出張着付などで、補整用具を持参していない方などに、サイズも選ばないので簡単で便利である。
【発明を実施するための最良の形態】
【０００６】  以下、本発明の形態について説明する。
（イ）両耳を利用した晒（１）を使用する。
（ロ）任意の巾、長さで晒を３枚重ね（２ａ）、（２ｂ）、（２ｃ）裁断する。
（ハ）中央部（３）で３枚を重ね縫い合わせる。
本発明は以上のような構成で、これを使用する時は、背に晒の中央部（３）をあて、裁断した側をバストに右、左と１枚ずつ交互に打ち合わせ、最後の１枚の端の上側を折り込んで止める。
【図面の簡単な説明】
【０００７】
【図１】  本発明の中央部を重ね縫いした状態を示した斜視図
【図２】  本発明の晒裁断図
【図３】  本発明の背を合わせた状態を示した背面図
【図４】  本発明の装着状態を示した正面図
【符号の説明】
【０００８】  １  両耳晒
２ａ、２ｂ、２ｃ  晒を３枚重ね
３  中央部
【図１】
2005194680.tif 000003
【図２】
2005194680.tif 000004
【図３】
2005194680.tif 000005
【図４】
2005194680.tif 000006
(57)【要約】［課題］  従来は、入浴または洗髪直後に家事、育児、美容ケアなどで頭髪をドライヤーで乾かすことが手間である場合、ゴムやピンで束ねておくか、タオルで頭部を巻きつけておく事しかできなかった。［解決手段］  ゴムやスリットを入れたことで、かぶる時や巻く時も容易になり頭にフィットしズリ落ちにくくなる。洗髪直後に家事、育児、美容ケアなど両手を使うことができる。また、逆に頭髪を濡らしたくない場合にも使える。布地を変えることや、色、柄など見ためをよくすることも容易である。【選択図】  図２
2005194678.tif 000002
【特許請求の範囲】
【請求項１】
頭髪を覆い筒状にしスリット加工したものである。洗髪直後に家事、育児、美容ケアなどに両手を使うことができる。ゴムで弾力性をもち、スリットを入れたことでかぶる時や巻く時に容易になり従来のものとは違いドライヤー、ピン、ゴムなどを使わなくても髪にやさしく作業がしやすくなる。
【発明の詳細な説明】
【技術分野】
【０００１】  本発明は、タオル地などの布地を筒状にし帯ゴム、スリット加工したもの及びその製造方法に関する。
［技術背景］【０００２】  従来は頭部の一部のみ着用している。
［発明の開示］
［発明が解決しようとする課題］【０００３】  従来は、入浴または洗髪直後に家事、育児、美容ケアなどで頭髪をドライヤーで乾かすことが手間である場合、ゴムやピンで束ねておくか、タオルで頭部を巻きつけておく事しかできなかった。
［課題を解決するための手段］【０００４】  上記の問題点を解決するために、本発明は着脱が容易で、しかもズリ落ちにくいため頭髪を束ねておきながら両手が使えるので即座に次の行動をすることができる。
［発明の効果］【０００５】  本発明は、以上説明したような形態であり図２、［０００５］〜［００１０］に記載されるような効果がある
［発明実施の形態］【０００６】  本発明は、すっぽりと頭髪を覆うことができるように布地を筒状にしたものである。【０００７】  また、帯ゴムを付けることでゴムの伸縮性により頭部にフィットしズリ落ちにくくサイズ調整にもなり、また、巻く時はゴムに布地をはさんで固定することもできる。
ゴム巾は６ｍｍにし、長さは布地巾−１０ｍｍに設定して頭にフィットするようにする。【０００８】  また、両方にスリットを入れ、口を広げたことで着用時にかぶりやすく束ねる時も容易になる。【０００９】  布地がタオル地ならば吸湿性があり、洗髪後の水分や汗も吸い取るので効果的である。冬は暖かい。毛染め時や、トリートメント時ならばビニール、レーヨン地が好ましい。【００１０】  さらに、ターバンのように簡単に頭を包んでアップにすることもできる。洗髪後ならば衣類（肩部分）を濡らす心配もない。また、逆に頭髪を濡らしたくない時にも使える。【００１１】  そして、ロゴ、色、柄、リバーシブルなど、デザインを良くすることも容易であるため送り物にもよい。
［実施例］【００１２】  実施例について図面を参照にして説明すると、図１において布地を選び筒状に縫う→ゴムを入れ帯を縫う→スリットを入れる。
【図面の簡単な説明】
【００１３】
【図１】  図面である。
【図２】  完成品、斜視図である。
【図３】  使用方法である。風呂あがり髪を乾かす暇がない時、この「すっぽり巻き」をかぶれば両手が使えるようになり、家事、育児や美容ケアなどもすぐにできる。
【図４】  使用方法である。髪が落ちてこないし、ピンやゴムを使わないので髪にもやさしく縛りあともつかない。
【図５】  使用方法である。頭を包み込んでアップにもできる。タオル地なら夏は汗も吸い取り、冬は暖かい。また、逆に髪を濡らさずに入浴したい場合にも活用できる。
【符号の説明】
【００１４】    １  頭巾
２  縫い目
３  スリット
４  ゴム
【図１】
2005194678.tif 000003
【図２】
2005194678.tif 000004
【図３】
2005194678.tif 000005
【図４】
2005194678.tif 000006
【図５】
2005194678.tif 000007